(57)【要約】【課題】映像表示装置の電源キーの押下状態が連続した場合に、電源をオフするかどうかを正しく判断し、静電タッチスイッチのユーザーの意図しない押下による装置の誤動作を防止することのできる、スイッチ誤動作検出回路を内蔵した映像表示装置を提供することを目的とする。【解決手段】映像信号検出回路２は、映像信号入力端子１から入力される映像信号の有無を示す信号を出力し、スイッチ検出回路５は、電源タッチスイッチ４の電源オンオフの押下操作および押下時間の押下入力情報を出力する。  誤動作判定制御部６は、押下入力情報と入力映像の有無を示す信号から、電源タッチスイッチ４の押下時間が所定時間以上であるが、映像信号が入力されていれば、ユーザーの意図に反して誤って押され続けていると判定し、電源タッチスイッチ４の押下を無効としてセット電源制御回路３には信号を送らない。【選択図】図１
2010054765.tif 000002
【特許請求の範囲】
【請求項１】
映像信号を入力する映像信号入力端子と、前記映像信号入力端子から入力される映像信号の有無を検出する映像信号検出回路と、装置の電源を制御するセット電源制御回路と、押下により前記セット電源制御回路のオンオフを操作する電源タッチスイッチと、前記電源タッチスイッチの押下時間を検出するスイッチ検出回路と、前記映像信号検出回路の出力および前記スイッチ検出回路からの出力を入力し、前記セット電源制御回路に強制パワーオフ信号を出力する誤動作判定制御部とから構成される映像表示装置。
【請求項２】
前記誤動作判定制御部は、前記映像信号が未入力であり、かつ、前記電源タッチスイッチの押下時間が指定時間を超えた場合に、前記セット電源制御回路に、強制パワーオフ信号を出力する請求項１記載の映像表示装置。
【請求項３】
前記誤動作判定制御部は、前記映像信号が入力中であり、かつ、前記電源タッチスイッチの押下時間が指定時間を超えた場合に、前記セット電源制御回路に、前記強制パワーオフ信号は出力せず、前記電源タッチスイッチの押下を無効とする請求項１記載の映像表示装置。
【請求項４】
映像信号を入力する映像信号入力端子と、前記映像信号入力端子から入力される映像信号の有無を検出する映像信号検出回路と、装置の電源を制御するセット電源制御回路と、押下により前記セット電源制御回路のオンオフを操作する電源タッチスイッチと、前記電源タッチスイッチの押下強度を検出する押下強度検出部と、前記電源タッチスイッチの押下時間を検出するスイッチ検出回路と、前記電源タッチスイッチの押下時間および押下強度を入力し、前記セット電源制御回路に、強制パワーオフ信号を出力する誤動作判定制御部とから構成される映像表示装置。
【請求項５】
前記誤動作判定制御部は、前記映像信号が未入力であり、かつ、前記電源タッチスイッチの押下時間が指定時間を超え、かつ、前記電源タッチスイッチの押下強度が所定値以下の場合に、前記セット電源制御回路に、強制パワーオフ信号を出力する請求項４記載の映像表示装置。
【請求項６】
前記誤動作判定制御部は、前記映像信号が入力中であり、かつ、前記電源タッチスイッチの押下時間が指定時間を超え、かつ、前記電源タッチスイッチの押下強度が所定値以下の場合に、前記セット電源制御回路に、強制パワーオフ信号は出力せず、前記電源タッチスイッチの押下を無効とする請求項４記載の映像表示装置。
【請求項７】
前記誤動作判定制御部は、前記映像信号が入力中であり、かつ、前記電源タッチスイッチの押下時間が指定時間を超え、かつ、前記電源タッチスイッチの押下強度が所定値を超える場合に、前記セット電源制御回路に、強制パワーオフ信号を出力する請求項４記載の映像表示装置。
【請求項８】
前記電源タッチスイッチは、静電スイッチである請求項１乃至請求項７のいずれかに記載の映像表示装置。
【発明の詳細な説明】
【技術分野】
【０００１】
本発明は、映像表示装置に関し、詳しくは映像表示装置を制御するための入力を行うスイッチの誤った押下を検出する、スイッチ誤動作検出回路を内蔵した映像表示装置に関する。
【背景技術】
【０００２】
従来、例えばプロジェクタなど、映像信号を入力し投射映像として出力する映像表示装置等では、操作入力を行うためのスイッチとして、静電タッチスイッチが多く採用されている。
【０００３】
静電タッチスイッチは、手で接触することにより静電容量が変化する一対の電極と、コイルとを有する共振回路の共振特性を利用した押下式スイッチである。静電タッチスイッチは指で軽く触れただけで動作し、ユーザーにとってボタン式スイッチよりも簡易な操作感を得ることができ、また、埃等の異物の混入が防げるなどの利点を有している。
【０００４】
映像表示装置等では、装置の電源をオン・オフしたり、その他の制御入力を行うため、接触進退部材を介して電流路を動作させる部材を使ったタッチスイッチが、操作のし易さおよび動作を確実ならしめるため使用されている。
【０００５】
しかしながら、人間の指に反応する感度の静電タッチスイッチは、極めて弱い押圧で動作するため、紙や金属類等の物体が触れただけでも反応し、結果として誤動作になるという問題があった。
【０００６】
つまり、間違って触れたり、物体の意図せぬ落下等により、コントロールパネルに対し何らかの物体が被さる状態になると、ユーザーの意図に関わらず静電タッチスイッチが押下された状態になり、誤動作の原因となる。
【０００７】
特に、プロジェクタなどでは、装置の設置状態がいわゆる天吊りなどの際に、リモコンで電源のオンオフを行う場合が多いが、リモコンが何かの下敷きになるなどの理由で、リモコンに配置された静電タッチスイッチが誤って押下され、装置の誤動作を生じることがあった。
【０００８】
プロジェクタにおける誤動作は、ランプやバックライト等の光源寿命の低下や、装置の発熱といった、品質問題、安全問題の原因になりかねないため、電源操作に静電タッチスイッチを用いる場合には、誤動作防止の対策が望まれている。
【０００９】
電源操作にタッチスイッチを用いた場合の、このような誤入力を防止するようにしたものが、特許文献１に開示されている。
【００１０】
特許文献１においては、電源キーが押下状態にあるかどうかを判断し、電源キーが押下状態にあると判断すれば、例えば、１０ｍｓ待機した後に、電源キーが押下状態にあるか否かを再度判断する。
【００１１】
押下状態の判断回数が所定回数以下の場合は、電源キー押下が有効であると判断し、電源がオン状態を維持し、押下状態が所定回数以上、つまり、所定時間（例えば、約０．５秒間）以上押下状態が続けば、電源をオフ状態に移行する。
【００１２】
これによって、誤って電源キーが押下され続けている場合は、電源を自動的に切ることができる。
【特許文献１】特開２００４−３０１４４号公報
【発明の開示】
【発明が解決しようとする課題】
【００１３】
しかしながら、上記特許文献１では、所定時間を超えて電源キーを押下した状態が続けば電源が自動的に切れてしまい、例えば、プロジェクタで映像を投射中に、誤って電源キーが所定時間を超えて押された場合に、映像の投射が中断してしまうという問題が新たに発生することになる。
【００１４】
特に、プロジェクタなどでは、営業活動としてのプレゼンテーションに使用される場合が多く、このような問題は販売機会を逃してしまうことにも繋がりかねない。
【００１５】
本発明は、このような上記従来の課題を解決するもので、映像表示装置の電源キーの押下状態が連続した場合に、電源をオフするかどうかを正しく判断し、静電タッチスイッチのユーザーの意図しない押下による装置の誤動作を防止することのできる、スイッチ誤動作検出回路を内蔵した映像表示装置を提供することを目的とする。
【課題を解決するための手段】
【００１６】
上記課題を解決するために本発明の映像表示装置は、映像信号を入力する映像信号入力端子と、前記映像信号入力端子から入力される映像信号の有無を検出するための映像信号検出回路と、装置の電源を制御するセット電源制御回路と、押下により前記セット電源制御回路のオンオフを操作する電源タッチスイッチと、前記電源タッチスイッチの押下時間を検出するスイッチ検出回路と、前記映像信号入力端子からの映像信号の入力状況および前記電源タッチスイッチの押下時間により、前記電源タッチスイッチの押下が誤動作をしているかどうかを判定し、誤動作をしていれば前記セット電源制御回路に強制パワーオフ制御をさせる信号を送る誤動作判定制御部とから構成されている。
【００１７】
また、本発明の映像表示装置では、前記映像信号入力端子に映像信号が未入力、かつ前記電源タッチスイッチの押下時間が所定時間を超えると、セット電源制御回路に、強制パワーオフ制御をさせる信号を送るように構成される。
【００１８】
また、前記映像信号入力端子に映像信号が入力中で、かつ前記電源タッチスイッチの押下時間が所定時間を超えると、セット電源制御回路に強制パワーオフ制御は送らず、前記電源タッチスイッチの押下を無効とするように構成される。
【発明の効果】
【００１９】
これにより、本発明の映像表示装置では、電源タッチスイッチの押下時間と、映像信号の入力状況から、ユーザーが映像表示装置を意図的に操作しているかどうかを判定し、電源タッチスイッチの押下を無効、または強制パワーオフ制御をすることで誤動作の防止が可能となる。
【発明を実施するための最良の形態】
【００２０】
以下本発明を実施するための最良の形態について、図面を参照しながら説明する。
【００２１】
（実施の形態１）
図１は本発明の実施の形態１の映像表示装置の電源制御部の構成を示すブロック図である。
【００２２】
図において、１は映像信号が入力される映像信号入力端子、２は映像信号入力端子１から入力される映像信号の有無を検出するための映像信号検出回路、３は映像表示装置の電源を制御するセット電源制御回路、４は押下によりセット電源制御回路のオンオフを操作する電源タッチスイッチ、５は電源タッチスイッチ４の押下時間を検出するスイッチ検出回路、６は映像信号入力端子１からの映像信号の入力状況、および電源タッチスイッチ４の押下時間により、電源タッチスイッチの押下が誤動作をしているかどうかを判定し、誤動作をしていれば電源タッチスイッチの押下を無効とする誤動作判定制御部である。
【００２３】
以上のように構成された本実施の形態の映像表示装置において、電源タッチスイッチ４が押下された場合、スイッチ検出回路５が押下を検出するとともに、押下時間を検出し、押下時間情報を誤動作判定制御部６に送る。
【００２４】
一方、映像信号検出回路２は、映像信号入力端子１から入力される映像信号の有無を検出し、入力情報を誤動作判定制御部６に送る。
【００２５】
誤動作判定制御部６は、電源タッチスイッチ４の押下時間と映像信号の入力の有無とから、ユーザーが映像表示装置を意図的に操作しているかどうかを判定する。
【００２６】
判定は、電源タッチスイッチ４の押下時間が所定時間以上であり、映像信号が入力されていなければ、電源タッチスイッチ４の押下がユーザーの意図による電源オフ、または、誤って押され続けていると判定し、セット電源制御回路に強制パワーオフ信号を送る。
【００２７】
もし、電源タッチスイッチ４の押下時間が所定時間以上であるが、映像信号が入力されていれば、ユーザーの意図に反して誤って押され続けていると判定し、電源タッチスイッチ４の押下を無効としてセット電源制御回路には信号は送らない。
【００２８】
誤動作判定の一例を図２で説明する。電源タッチスイッチ４が何らかの原因で押下され、その情報がスイッチ検出回路５で検出され、押下が継続する場合、横軸方向に時間が進行する。
【００２９】
その際、映像信号入力端子１に映像信号が接続されているか否かの情報を映像信号検出回路２で検出し、入力信号有りと判定された場合、縦軸であるスイッチの誤動作判定レベルは０のまま推移する。
【００３０】
もし、あるタイミングで、入力信号無しに判定が切り替わった場合、誤動作判定レベルは線形的に増加する。誤動作判定閾値に達するまでに、入力信号有りに切り替わった場合、誤動作判定レベルを０にリセットする。その後、再度、入力信号無しに切り替わり、無信号が継続した場合、線形に誤動作判定レベルは増加し続け、所定の時間が経過し誤動作判定閾値に達すると、強制パワーオフ信号がセット電源制御回路３に出力され、映像表示装置はシャットダウンする。
【００３１】
このように、電源タッチスイッチ４が何らかの原因でユーザーの意図に反して押下され続け、かつ、映像信号が入力されていない場合は、ユーザーが映像の表示を行っていない、つまり、シャットダウンしても問題ない、と判断して、映像表示装置を強制的にシャットダウンさせることにより、装置の誤動作を防止することができる。
【００３２】
また、電源タッチスイッチ４が何らかの原因でユーザーの意図に反して押下され続け、かつ、映像信号が入力されている場合は、ユーザーが映像の表示を行っている、つまり、シャットダウンする必要はない、と判断して、映像表示装置を誤ってシャットダウンさせない。
【００３３】
なお、本実施の形態において、押下継続時間に対する誤動作判定レベルの増加率の線形にした傾きは映像表示装置の仕様に応じて調整でき、またその増加率を仕様に応じて非線形にしてもよい。
【００３４】
（実施の形態２）
図３は本発明の実施の形態２の映像表示装置の電源制御部の構成を示すブロック図である。図３において、実施の形態１の図１と同じ構成要素については同じ符号を用い、説明を省略する。
【００３５】
実施の形態１と異なるところは、電源タッチスイッチ４の押下強度検出部７を設けた点である。押下強度検出部７は電源タッチスイッチ４に設けられた圧力センサーで電源タッチスイッチ４が押されたときの強度を検出し、スイッチ検出回路５を介してスイッチ押下強度情報を誤動作判定制御部６に送る。
【００３６】
図４において、電源タッチスイッチ４から誤動作判定制御部６に入力されるスイッチ押下情報は、スイッチ押下時間Ｓｔとスイッチ押下強度Ｓｐであり、スイッチ押下時間Ｓｔは電源タッチスイッチ４が押下されている時間であり、スイッチ押下強度Ｓｐはスイッチが押下されている強度レベルを表す。
【００３７】
指定時間Ａｔと指定強度Ａｐは、電源タッチスイッチ４の押下が意図的であるかどうかを判断するためのパラメータであり、人間の指で押下した場合のスイッチ押下強度が、紙や金属等がタッチスイッチ上に乗った誤動作時と比較し一般的に高いため、指定強度よりスイッチ押下強度Ｓｐが高い場合は、ユーザーが意図的に操作していると判定する。従って、下記両式を満足するとき、誤動作であると判定する。
【００３８】
Ｓｔ＞Ａｔ
Ｓｐ＜Ａｐ
誤動作判定の一例を図４を用いて説明する。電源タッチスイッチ４が何らかの原因で押下され、その情報がスイッチ検出回路５で検出され、押下が継続する場合、図４の横軸方向に時間が進行する。それに対し、スイッチ検出回路５でスイッチ押下強度Ｓｐを検出し、スイッチ押下強度レベルを縦軸に取っている。
【００３９】
図において、電源タッチスイッチ４の押下強度Ｓｐが閾値Ａｐ以下を保ち、継続時間が閾値Ａｔ以上経過した場合、つまり、前述の両式を満足する場合、意図的な押下ではないと判断し、スイッチ押下判定フラグをＦｓ＝１とする。両式のいずれかを満足しない場合、スイッチ押下判定フラグをＦｓ＝０とする。
【００４０】
ここで、映像信号入力端子１に映像信号が入力されていると、誤動作判定制御部６に、映像信号検出回路２から映像入力がされていることを表す信号が入力され、誤動作判定制御部６では、ユーザーが映像制御装置を操作していると判定し、ユーザー操作判定フラグＦｕ＝０とする。映像信号入力端子１に映像信号が入力されていない場合、ユーザーが映像制御装置を操作していないと判定し、Ｆｕ＝１とする。
【００４１】
誤動作判定は、スイッチ押下判定フラグＦｓ、ユーザー操作判定フラグＦｕを用いて、下式で表現される。
【００４２】
Ｙ＝Ｆｓ×Ｆｕ
Ｙが０の場合、誤動作ではないと判定し、Ｙが１の場合、誤動作であると判定する。
【００４３】
具体的には、電源タッチスイッチ４が何らかの原因で押下され、その情報がスイッチ検出回路５で検出され、押下が継続し、スイッチ押下強度Ｓｐが閾値Ａｐ以下を保ち、継続時間が閾値Ａｔ以上経過した場合、誤動作判定制御部６は、映像信号検出回路２で検出される映像信号入力端子１に映像信号が接続されているか否かの情報を参照し、信号無しと判定された場合、強制パワーオフ信号をセット電源制御回路３に出力し、映像制御装置をシャットダウンさせる。
【００４４】
しかし、スイッチ押下強度Ｓｐが閾値Ａｐ以下を保ち、継続時間が閾値Ａｔ以上経過した場合において、誤動作判定制御部６が映像信号検出回路２で検出される情報を参照し、映像信号入力有りと判定された場合、強制パワーオフ信号は出力せず、従って、映像表示装置のシャットダウンは実行されない。
【００４５】
これによって、映像信号が入力中、誤って映像表示装置がシャットダウンされることはない。
【００４６】
次に、映像信号が入力中であっても、強制的に映像表示装置をシャットダウンする必要があった場合は、上述のような方法では、シャットダウンできないため、一旦映像信号の入力を止める手順が必要であり、早急にシャットダウンを行うことができない。このような場合は、以下の方法によって解決することができる。
【００４７】
図４に示すように、閾値Ａｐを超えるスイッチ押下強度Ｓｐが継続時間閾値Ａｔ以上経過した場合、誤動作判定制御部６は、映像信号入力端子１に映像信号が接続されているか否かに拘わらず、ユーザーが意図的に映像制御装置をシャットダウンさせようとしていると判定し、強制パワーオフ信号をセット電源制御回路３に出力し、映像制御装置をシャットダウンさせることができる。
【００４８】
このように、本実施の形態では、スイッチ押下継続時間、映像入力信号の有無、スイッチ押下強度を組み合わせることによって、ユーザーが意図しないスイッチの押下に対する強制シャットダウン、誤ったシャットダウンの防止、映像信号入力中の強制シャットダウンを状況に応じて行うことができる。
【００４９】
なお、本実施の形態において、閾値Ａｔ、Ａｐはタッチスイッチの形状、反応特性等に応じて決定されるパラメータであり、仕様に応じて最適値を決定することができる。
【産業上の利用可能性】
【００５０】
本発明にかかる映像表示装置は、タッチスイッチの入力情報と映像入力情報を組み合わせて判断することにより、ユーザーが意図した押下であるかどうか判断し、誤動作による映像表示装置の起動が引き起こす、光源寿命の低下、無意味な電力消費の回避ができ、プロジェクタ等の映像表示装置において有用である。
【図面の簡単な説明】
【００５１】
【図１】本発明の実施の形態１の映像表示装置の電源制御部の構成を示すブロック図
【図２】本発明の実施の形態１の映像表示装置の誤動作判定例を示す図
【図３】本発明の実施の形態２の映像表示装置の電源制御部の構成を示すブロック図
【図４】本発明の実施の形態２の映像表示装置の誤動作判定例を示す図
【符号の説明】
【００５２】
１  映像信号入力端子
２  映像信号検出回路
３  セット電源制御回路
４  電源タッチスイッチ
５  スイッチ検出回路
６  誤動作判定制御部
７  押下強度検出部
【図１】
2010054765.tif 000003
【図２】
2010054765.tif 000004
【図３】
2010054765.tif 000005
【図４】
2010054765.tif 000006